(57)【要約】【課題】使い勝手の良いマイクロメータを提供する。【解決手段】マイクロメータ１は、スピンドル１Ｃの変位量を検出する変位量検出装置と、固定スリーブ１Ｂに対して回転可能に取り付けられた表示装置２と、表示装置２を制御する制御装置とを備える。表示装置２は、変位量検出装置にて検出された変位量に基づく測定値を含んだ画像を表示する画像表示部と、画像表示部に対向して配置され、タッチ面２１Ａを有するサーフェイス部材２１と、タッチ面２１Ａ上の押圧された位置を検出する位置検出部と、タッチ面２１Ａが外部に露出した状態で、画像表示部、サーフェイス部材２１、及び位置検出部を支持し、固定スリーブ１Ｂに対して回転可能に取り付けられる支持部材２４とを備える。【選択図】図１
2013088287.tif 000002
【特許請求の範囲】
【請求項１】
Ｕ字状の本体と、前記本体の一端側に設けられるアンビルと、前記本体の他端側に固定された固定スリーブと、前記固定スリーブに螺合され軸方向へ進退されるスピンドルとを備えたマイクロメータであって、
前記スピンドルの変位量を検出する変位量検出装置と、
前記固定スリーブに対して回転可能に取り付けられた表示装置と、
前記表示装置を制御する制御装置とを備え、
前記表示装置は、
前記変位量検出装置にて検出された変位量に基づく測定値を含んだ画像を表示する画像表示部と、
前記画像表示部に対向して配置され、タッチ面を有するサーフェイス部材と、
前記タッチ面上の押圧された位置を検出する位置検出部と、
前記タッチ面が外部に露出した状態で、前記画像表示部、前記サーフェイス部材、及び前記位置検出部を支持し、前記固定スリーブに対して回転可能に取り付けられる支持部材とを備える
ことを特徴とするマイクロメータ。
【請求項２】
請求項１に記載のマイクロメータにおいて、
前記制御装置は、
前記固定スリーブに対する前記支持部材の回転位置を認識する回転位置認識部と、
前記画像表示部に画像を表示させる表示制御部とを備え、
前記表示制御部は、
前記回転位置認識部にて認識された前記支持部材の回転位置に基づいて、前記画像表示部に表示させる画像の上下を反転させる
ことを特徴とするマイクロメータ。
【請求項３】
請求項１または請求項２に記載のマイクロメータにおいて、
前記本体の他端側には、
前記本体のＵ字状外側部分から前記スピンドルの軸方向に沿って張り出した指掛部が設けられている
ことを特徴とするマイクロメータ。
【発明の詳細な説明】
【技術分野】
【０００１】
本発明は、デジタル表示型のマイクロメータに関する。
【背景技術】
【０００２】
デジタル表示型のマイクロメータにおいて、当該マイクロメータの測定時の向きに関わらず、デジタル表示器に表示された測定値を読み取り可能とした構成が知られている（例えば、特許文献１参照）。
特許文献１に記載のマイクロメータは、スピンドルの軸方向に平行な軸を中心として回転可能とする回動部を備える。そして、回動部には、デジタル表示部が設けられている。
したがって、使用者は、右手のみでマイクロメータを使用する場合（マイクロメータの正面側を視認できる場合）であっても、左手のみでマイクロメータを使用する場合（マイクロメータの背面側を視認できる場合）であっても、回動部を回転させることで、デジタル表示器に表示された測定値を読み取ることができる。
【先行技術文献】
【特許文献】
【０００３】
【特許文献１】特開２００５−２２７０８０号公報（図５、図６）
【発明の概要】
【発明が解決しようとする課題】
【０００４】
ところで、デジタル表示型のマイクロメータでは、一般的に、デジタル表示部に表示される測定値の表示状態を変更するための操作ボタンが設けられている。
例えば、特許文献１に記載のマイクロメータでは、当該マイクロメータの正面側に、測定値を０に設定するリセットボタンや、表示されている測定値を固定するホールドボタンが設けられている。
すなわち、特許文献１に記載のマイクロメータでは、使用者は、右手のみでマイクロメータを使用する場合（マイクロメータの正面側を視認できる場合）には、マイクロメータの正面側に操作ボタンが設けられているため、当該操作ボタンを操作（押下）することができる。しかしながら、使用者は、左手のみでマイクロメータを使用する場合には、視認できる背面側に操作ボタンがないため、当該操作ボタンを操作することができず、使い勝手が悪い、という問題がある。
【０００５】
本発明の目的は、使い勝手の良いマイクロメータを提供することにある。
【課題を解決するための手段】
【０００６】
本発明のマイクロメータは、Ｕ字状の本体と、前記本体の一端側に設けられるアンビルと、前記本体の他端側に固定された固定スリーブと、前記固定スリーブに螺合され軸方向へ進退されるスピンドルとを備えたマイクロメータであって、前記スピンドルの変位量を検出する変位量検出装置と、前記固定スリーブに対して回転可能に取り付けられた表示装置と、前記表示装置を制御する制御装置とを備え、前記表示装置は、前記変位量検出装置にて検出された変位量に基づく測定値を含んだ画像を表示する画像表示部と、前記画像表示部に対向して配置され、タッチ面を有するサーフェイス部材と、前記タッチ面上の押圧された押圧位置を検出する位置検出部と、前記タッチ面が外部に露出した状態で、前記画像表示部、前記サーフェイス部材、及び前記位置検出部を支持し、前記固定スリーブに対して回転可能に取り付けられる支持部材とを備えることを特徴とする。
【０００７】
本発明では、測定値を含んだ画像を表示する表示装置（支持部材）は、固定スリーブに対して回転可能に取り付けられている。
このことにより、使用者は、右手のみでマイクロメータを使用する場合であっても、左手のみでマイクロメータを使用する場合であっても、固定スリーブに対して表示装置を回転させ画像を視認できる位置に位置付けることで、測定値を読み取ることができる。
【０００８】
また、表示装置は、上述した画像表示部、サーフェイス部材、及び位置検出部を備えた所謂タッチパネルで構成されている。
このことにより、測定値の他、従来のリセットボタンやホールドボタン等の操作ボタンを操作オブジェクトとして画像表示部に表示させることができる。すなわち、画像表示部に表示された操作オブジェクトをタップする（タッチ面上の操作オブジェクトに対応する位置を押圧する）ことで、従来のリセットボタンやホールドボタン等の操作ボタンを押下した時と同様の機能を発揮させることができる。
【０００９】
そして、上記のように操作オブジェクトを含んだ画像を画像表示部に表示させた構成では、使用者は、固定スリーブに対して表示装置を回転させることで、測定値の他、操作オブジェクトを視認できる位置に表示装置を位置付けることができる。
このため、使用者は、右手のみでマイクロメータを使用する場合であっても、左手のみでマイクロメータを使用する場合であっても、測定値を読み取ることができるとともに、操作オブジェクトをタップすることができ、使い勝手の良いものとなる。
【００１０】
本発明のマイクロメータでは、前記制御装置は、前記固定スリーブに対する前記支持部材の回転位置を認識する回転位置認識部と、前記画像表示部に画像を表示させる表示制御部とを備え、前記表示制御部は、前記回転位置認識部にて認識された前記支持部材の回転位置に基づいて、前記画像表示部に表示させる画像の上下を反転させることが好ましい。
本発明では、制御装置が上述した回転位置認識部及び表示制御部を備えるので、使用者により右手のみで使用される場合及び左手のみで使用される場合の双方において、使用者にて視認される画像の上下を鉛直方向の上下に合わせることができる。
したがって、使用者が測定値を誤って読み取ったり、操作オブジェクトを誤って認識したりすることを防止することができる。
【００１１】
本発明のマイクロメータでは、前記本体の他端側には、前記本体のＵ字状外側部分から前記スピンドルの軸方向に沿って張り出した指掛部が設けられていることが好ましい。
ところで、本体を直接、手で保持しながら測定を行った場合には、手の熱が本体に伝わり、長時間、保持した場合には、本体が熱膨張してしまう。すなわち、本体の熱膨張により、測定値に誤差が生じてしまう。
本発明では、本体の他端側に上述した指掛部が設けられているため、使用者は、例えば、指掛部に小指を引っ掛けながら、本体に触れることなく、マイクロメータを保持することが可能となる。
したがって、指掛部を例えば熱伝導性の低い材料で構成すれば、測定時に、本体に手の熱が伝わることがなく、すなわち、本体の熱膨張を防止できる。このため、本体の熱膨張による測定値の誤差を防止でき、被測定物を高精度に測定できる。
【図面の簡単な説明】
【００１２】
【図１】本実施形態におけるマイクロメータの構成を示す正面図。
【図２】本実施形態におけるデジタル表示器に表示される画像の一例を示す図。
【図３】本実施形態におけるデジタル表示器の回転動作を説明するための図。
【図４】本実施形態における制御装置の構成を示すブロック図。
【図５】本実施形態におけるマイクロメータの使用形態を説明するための図。
【図６】本実施形態におけるマイクロメータの使用形態を説明するための図。
【図７】本実施形態におけるマイクロメータの使用形態を説明するための図。
【図８】本実施形態におけるマイクロメータの使用形態を説明するための図。
【発明を実施するための形態】
【００１３】
以下、本発明の実施の一形態を図面に基づいて説明する。
〔マイクロメータの構成〕
図１は、本実施形態におけるマイクロメータ１の構成を示す正面図である。
なお、図１では、説明の便宜上、デジタル表示器２に表示される画像を省略している。
マイクロメータ１は、図１に示すように、本体１Ａと、固定スリーブ１Ｂと、スピンドル１Ｃと、シンブル１Ｄと、表示装置としてのデジタル表示器２と、変位量検出装置としてのエンコーダ３（図４参照）と、制御装置４（図４参照）とを備える。
なお、各構成１Ａ〜１Ｄについては、一般的なマイクロメータで利用されている公知の構成であるため、以下では、簡略化して説明する。
【００１４】
本体１Ａは、図１に示すように、略Ｕ字形を有する。
そして、本体１Ａの一端には、アンビル１Ｅが固定されている。また、本体１Ａの他端には、スピンドル１Ｃを挿通可能とする軸受筒１Ｆが設けられている。さらに、本体１Ａの他端には、本体１Ａよりも熱伝導性が低く、断熱性が高い材料（例えば、合成樹脂材料）で構成された指掛部１Ｇが設けられている。
具体的に、指掛部１Ｇは、略Ｕ字形を有し、両端が本体１ＡのＵ字形状外側部分に固定され、本体１ＡのＵ字形状外側部分からスピンドル１Ｃの軸方向に沿って張り出すように形成されている。
【００１５】
固定スリーブ１Ｂは、図１に示すように、本体１Ａの他端に固定されている。
そして、固定スリーブ１Ｂは、スピンドル１Ｃが螺合され、軸受筒１Ｆとともにスピンドル１Ｃを支持する。
スピンドル１Ｃは、軸受筒１Ｆに挿通されるとともに、固定スリーブ１Ｂに螺合され、固定スリーブ１Ｂに対する螺合状態が変更されることで（回転することで）、アンビル１Ｅに対して進退する。
【００１６】
シンブル１Ｄは、固定スリーブ１Ｂの外周に回転可能に被嵌されるとともに、外端（図１中右端）がスピンドル１Ｃの基端部分（アンビル１Ｅに対向する先端部分（図１中左端部分）とは反対側の端部）に一体的に結合される。
また、シンブル１Ｄにおいて、スピンドル１Ｃの基端側には、図１に示すように、スピンドル１Ｃに所定以上の負荷がかかった時に空転するラチェットつまみ１Ｈが設けられている。
そして、シンブル１Ｄまたはラチェットつまみ１Ｈを回転させることで、スピンドル１Ｃは、回転しながら軸方向へ移動し、アンビル１Ｅに対して進退する。
【００１７】
〔デジタル表示器の構成〕
デジタル表示器２は、図１に示すように、固定スリーブ１Ｂに取り付けられ、制御装置４による制御の下、エンコーダ３によって検出されたスピンドル１Ｃの軸方向変位量に基づく測定値を含んだ画像を表示する。
このデジタル表示器２は、サーフェイス部材２１（図１）と、位置検出部としての静電容量シート２２（図４参照）と、画像表示部２３（図４参照）と、支持部材２４（図１）とを備える。
【００１８】
サーフェイス部材２１は、透光性材料から構成されたカバーガラス（フィルム）であり、図１に示すように、一方の板面２１Ａ（以下、タッチ面２１Ａと記載）が外部に露出し、使用者により操作される部分である。
静電容量シート２２は、具体的な図示は省略したが、電極層と、制御ＩＣ（Integrated Circuit）を搭載する基板層から構成された透光性を有するシート状部材であり、サーフェイス部材２１の他方の板面（裏面）に貼り付けられる。
この静電容量シート２２は、使用者にてタッチ面２１Ａがタップ（押圧）された際に、サーフェイス部材２１を介して使用者の指との間でコンデンサーを形成し、当該コンデンサーがタッチ面２１Ａ上のどの位置に存在するか（タッチ面２１Ａ上のどの位置がタップされたか）を微弱な静電容量の変化として検出する。
そして、静電容量シート２２（制御ＩＣ）は、タッチ面２１Ａ上のタップされた位置に関する信号を制御装置４に出力する。
【００１９】
画像表示部２３は、静電容量シート２２を挟んでサーフェイス部材２１に対向して配設され、制御装置４による制御の下、画像を表示する。
この画像表示部２３は、液晶表示デバイス２３Ａと、バックライト２３Ｂとを備える（図４参照）。
液晶表示デバイス２３Ａは、入射した光を変調して画像を形成する透過型の液晶表示デバイスで構成されている。
バックライト２３Ｂは、液晶表示デバイス２３Ａの光入射側に取り付けられ、液晶表示デバイス２３Ａに対して光を出射する。
そして、使用者は、サーフェイス部材２１及び静電容量シート２２を介して、液晶表示デバイス２３Ａで形成された画像を視認する。
【００２０】
図２は、デジタル表示器２に表示される画像の一例を示す図である。
液晶表示デバイス２３Ａは、図２に示す画像Ｆｇを形成する。
具体的に、画像Ｆｇは、図２に示すように、エンコーダ３によって検出されたスピンドル１Ｃの軸方向変位量に基づく測定値ＭＶの他、測定値ＭＶに対して下方側に位置する２つの第１，第２操作オブジェクトＯＢ１，ＯＢ２等を含んで構成されている。
第１操作オブジェクトＯＢ１は、任意の位置（スピンドル１Ｃの位置）で測定値ＭＶを「０」にセットするための操作オブジェクトである。
第２操作オブジェクトＯＢ２は、表示された測定値ＭＶを固定する（表示状態を維持する）、あるいは、当該固定を解除するための操作オブジェクトである。
【００２１】
図３は、デジタル表示器２の回転動作を説明するための図である。具体的に、図３は、マイクロメータ１を図１中左側から見た側面図である。
支持部材２４は、各部材２１〜２３を支持する部材であり、図３に示すように、支持部材本体２４１と、回動部２４２とを備える。
支持部材本体２４１は、一側面に開口部２４１Ａ（図１）を有する直方体状の中空部材で構成されている。そして、各部材２１〜２３は、開口部２４１Ａを介してサーフェイス部材２１が露出した状態で、支持部材本体２４１内部に収納される。
回動部２４２は、支持部材本体２４１における開口部２４１Ａが形成された側面とは反対側に一体的に設けられ、固定スリーブ１Ｂの外周に回転可能に被嵌される。
【００２２】
そして、支持部材２４は、図３に示すように、固定スリーブ１Ｂに対してスピンドル１Ｃの軸を中心として回転することで、開口部２４１Ａがマイクロメータ１の正面（図３中右側）を向く姿勢（図３において実線で示す姿勢）、背面（図３中左側）を向く姿勢（図３において二点鎖線で示す姿勢）等に設定される。
なお、以下では、説明の便宜上、支持部材２４の姿勢として、開口部２４１Ａがマイクロメータ１の正面を向く位置から図３中斜め右上側を向く位置までの各姿勢を右手用姿勢と記載し、開口部２４１Ａがマイクロメータ１の正面を向く位置から図３中斜め左上側を向く位置までの各姿勢を左手用姿勢と記載する。
【００２３】
〔エンコーダの構成〕
エンコーダ３は、スピンドル１Ｃの軸方向変位量を検出する。
このエンコーダ３は、具体的な図示は省略したが、固定スリーブ１Ｂとスピンドル１Ｃとの間に介在され、固定スリーブ１Ｂに対するスピンドル１Ｃの相対回転角（スピンドル１Ｃの軸方向変位量に応じた角度）に対応する信号が得られるように構成されている。
そして、エンコーダ３は、フレキシブル基板を介して制御装置４に電気的に接続し、上記相対回転角に対応する信号を制御装置４に出力する。
【００２４】
〔制御装置の構成〕
図４は、制御装置４の構成を示すブロック図である。
制御装置４は、デジタル表示器２を制御する装置であり、図４に示すように、回転位置認識部４１と、表示制御部４２等を備える。
そして、制御装置４は、デジタル表示器２における支持部材本体２４１内部に収納されている。
回転位置認識部４１は、固定スリーブ１Ｂに対するデジタル表示器２（支持部材２４）の回転位置を認識する。すなわち、回転位置認識部４１は、デジタル表示器２が右手用姿勢に設定されているか、あるいは、左手用姿勢に設定されているかを認識する。
【００２５】
本実施形態では、回転位置認識部４１は、リーフスイッチ４１Ａ（図４）から出力される信号に基づいて、デジタル表示器２の回転位置を認識する。
ここで、リーフスイッチ４１Ａは、支持部材２４に取り付けられ、デジタル表示器２の回転に応じて固定スリーブ１Ｂと機械的に干渉する状態、あるいは干渉しない状態となることで、回転位置認識部４１に信号を出力しない状態、あるいは出力する状態に設定される。
なお、本実施形態では、リーフスイッチ４１Ａは、デジタル表示器２が右手用姿勢に設定されている場合、回転位置認識部４１に信号を出力しないように構成されている。
【００２６】
一方、リーフスイッチ４１Ａは、デジタル表示器２が左手用姿勢に設定されている場合に、回転位置認識部４１に信号を出力するように構成されている。
そして、回転位置認識部４１は、リーフスイッチ４１Ａから信号が出力されていない場合には、デジタル表示器２が右手用姿勢に設定されていると認識する。また、回転位置認識部４１は、リーフスイッチ４１Ａから信号が出力されている場合には、デジタル表示器２が左手用姿勢に設定されていると認識する。
【００２７】
表示制御部４２は、画像表示部２３の動作を制御し、画像表示部２３に画像（例えば、図２に示す画像Ｆｇ）を表示させる。
具体的に、表示制御部４２は、エンコーダ３から出力される信号（固定スリーブ１Ｂに対するスピンドル１Ｃの相対回転角に対応する信号）に基づいて、測定値（アンビル１Ｅ及びスピンドル１Ｃ間の距離（被測定物の寸法））を算出する。
また、表示制御部４２は、算出した測定値ＭＶの他、第１，第２操作オブジェクトＯＢ１，ＯＢ２を含んだ画像Ｆｇを生成し、当該画像Ｆｇを画像表示部２３に表示させる。
【００２８】
さらに、表示制御部４２は、静電容量シート２２から出力される信号に基づいて、タッチ面２１Ａ上のタップされた位置（座標）を認識する。そして、表示制御部４２は、タップされた位置に対応する画像Ｆｇ中の画素位置を認識し、タップされた位置が第１，第２操作オブジェクトＯＢ１，ＯＢ２であるか否かを判定する。
ここで、表示制御部４２は、タップされた位置が第１操作オブジェクトＯＢ１であると判定した場合には、測定値ＭＶを「０」にセットする。そして、表示制御部４２は、当該「０」にセットした時点でのスピンドル１Ｃの位置を基準として、エンコーダ３から出力される信号に基づいて測定値ＭＶを算出する。
【００２９】
また、表示制御部４２は、タップされた位置が第２操作オブジェクトＯＢ２であると判定した場合には、表示させた測定値ＭＶを固定する、あるいは、当該固定を解除する。
さらにまた、表示制御部４２は、回転位置認識部４１にて右手用姿勢に設定されていると認識された場合と左手用姿勢に設定されていると認識された場合とで、画像表示部２３に表示させる画像Ｆｇの上下を反転させる。
【００３０】
〔マイクロメータの使用形態〕
図５ないし図８は、マイクロメータ１の使用形態を説明するための図である。具体的に、図５は、右手のみでマイクロメータ１を使用する形態の一例を示す図である。図６は、図５の使用形態でデジタル表示器２に表示される画像の一例を示す図である。図７は、左手のみでマイクロメータ１を使用する形態の一例を示す図である。図８は、図７の使用形態でデジタル表示器２に表示される画像の一例を示す図である。
なお、図５ないし図８では、説明の便宜上、図１に示す状態において、支持部材２４の上方側の端部を上端部２４Ｕ，下方側の端部を下端部２４Ｄとする。また、図５ないし図８では、右手のみで使用する形態と左手のみで使用する形態との違いを明確にするために、図１に示す状態において、支持部材本体２４１における開口部２４１Ａが形成された一側面の左上角部分に「○」のマークＭを記載している。
また、図５及び図７では、図１と同様に、デジタル表示器２に表示される画像を省略している。
【００３１】
先ず、使用者は、右手のみでマイクロメータ１を使用する場合には、図５に示すように、デジタル表示器２を回転させ、デジタル表示器２を右手用姿勢に設定する。
そして、使用者は、小指を指掛部１Ｇに引っ掛けるとともに、親指の付け根部分を指掛部１Ｇの外周にあてがい、さらに薬指及び中指を支持部材２４の外面にあてがうことで、マイクロメータ１（指掛部１Ｇ）を保持する。
以上のようにマイクロメータ１を保持しながら、使用者は、親指と人差指とでシンブル１Ｄまたはラチェットつまみ１Ｈを摘まむ。そして、使用者は、シンブル１Ｄまたはラチェットつまみ１Ｈを回転させることで、アンビル１Ｅとスピンドル１Ｃとで被測定物（図示略）を挟む。
【００３２】
ここで、デジタル表示器２が上記の姿勢に設定されている場合には、リーフスイッチ４１Ａから信号が出力されていないため、回転位置認識部４１は、デジタル表示器２が右手用姿勢に設定されていると認識する。
そして、表示制御部４２は、図６に示す画像Ｆｇ１を画像表示部２３に表示させる。
具体的に、表示制御部４２は、図６に示すように、上端部２４Ｕ側（指掛部１Ｇから離間した側）に測定値ＭＶを位置付け、下端部２４Ｄ側（指掛部１Ｇに近接する側）に第１，第２操作オブジェクトＯＢ１，ＯＢ２を位置付けた画像Ｆｇ１を画像表示部２３に表示させる。
【００３３】
一方、使用者は、左手のみでマイクロメータ１を使用する場合には、図７に示すように、デジタル表示器２を回転させ、デジタル表示器２を左手用姿勢に設定する。
そして、使用者は、右手で使用する場合と同様に、小指を指掛部１Ｇに引っ掛けながらマイクロメータ１を保持する。
以上のようにマイクロメータ１を保持しながら、使用者は、右手で使用する場合と同様に、親指と人差指とでシンブル１Ｄまたはラチェットつまみ１Ｈを回転させることで、アンビル１Ｅとスピンドル１Ｃとで被測定物を挟む。
【００３４】
ここで、デジタル表示器２が上記の姿勢に設定されている場合には、リーフスイッチ４１Ａから信号が出力されているため、回転位置認識部４１は、デジタル表示器２が左手用姿勢に設定されていると認識する。
そして、表示制御部４２は、図８に示す画像Ｆｇ２を画像表示部２３に表示させる。
具体的に、表示制御部４２は、図８に示すように、下端部２４Ｄ側（指掛部１Ｇから離間した側）に測定値ＭＶを位置付け、上端部２４Ｕ側（指掛部１Ｇに近接する側）に第１，第２操作オブジェクトＯＢ１，ＯＢ２を位置付けた画像Ｆｇ２を画像表示部２３に表示させる。
すなわち、左手用姿勢で表示される画像Ｆｇ２は、右手用姿勢で表示される画像Ｆｇ１に対して上下が反転した画像である。
【００３５】
上述した本実施形態によれば、以下の効果がある。
本実施形態では、測定値ＭＶを含んだ画像Ｆｇを表示するデジタル表示器２（支持部材２４）は、固定スリーブ１Ｂに対して回転可能に取り付けられている。
このことにより、使用者は、右手のみでマイクロメータ１を使用する場合であっても、左手のみでマイクロメータ１を使用する場合であっても、固定スリーブ１Ｂに対してデジタル表示器２を回転させ画像Ｆｇを視認できる位置に位置付けることで、測定値ＭＶを読み取ることができる。
【００３６】
また、デジタル表示器２は、画像表示部２３、サーフェイス部材２１、及び静電容量シート２２を備えた所謂タッチパネルで構成されている。
このことにより、測定値ＭＶの他、従来のリセットボタンやホールドボタン等の操作ボタンを操作オブジェクトＯＢ１，ＯＢ２として画像表示部２３に表示させることができる。すなわち、画像表示部２３に表示された操作オブジェクトＯＢ１，ＯＢ２をタップする（タッチ面２１Ａ上の操作オブジェクトＯＢ１，ＯＢ２に対応する位置を押圧する）ことで、従来のリセットボタンやホールドボタン等の操作ボタンを押下した時と同様の機能を発揮させることができる。
【００３７】
そして、操作オブジェクトＯＢ１，ＯＢ２を含んだ画像Ｆｇを画像表示部２３に表示させた構成では、使用者は、固定スリーブ１Ｂに対してデジタル表示器２を回転させることで、測定値ＭＶの他、操作オブジェクトＯＢ１，ＯＢ２を視認できる位置にデジタル表示器２を位置付けることができる。
このため、使用者は、右手のみでマイクロメータ１を使用する場合であっても、左手のみでマイクロメータ１を使用する場合であっても、測定値ＭＶを読み取ることができるとともに、操作オブジェクトＯＢ１，ＯＢ２をタップすることができ、使い勝手の良いものとなる。
【００３８】
また、制御装置４が回転位置認識部４１及び表示制御部４２を備えるので、使用者により右手のみで使用される場合及び左手のみで使用される場合の双方において、使用者にて視認される画像Ｆｇ１，Ｆｇ２の上下を鉛直方向の上下に合わせることができる。
したがって、使用者が測定値ＭＶを誤って読み取ったり、操作オブジェクトＯＢ１，ＯＢ２を誤って認識したりすることを防止することができる。
【００３９】
ここで、回転位置認識部４１は、リーフスイッチ４１Ａからの信号の有無に応じて、デジタル表示器２の回転位置（右手用姿勢、左手用姿勢）を認識する。
すなわち、使用者は、デジタル表示器２を回転させるだけで、デジタル表示器２の回転位置を制御装置４（回転位置認識部４１）に認識させることができる。
このため、デジタル表示器２の回転位置を認識するために、使用者にデジタル表示器２を回転させた後、操作オブジェクトや操作ボタン等への操作を強いる必要がない。
【００４０】
また、リーフスイッチ４１Ａは、画像Ｆｇを正面側から視認できる範囲内にデジタル表示器２が位置付けられている（右手用姿勢に設定されている）場合に、回転位置認識部４１に信号を出力しない。一方、リーフスイッチ４１Ａは、画像Ｆｇを背面側から視認できる範囲内にデジタル表示器２が位置付けられている（左手用姿勢に設定されている）場合に、回転位置認識部４１に信号を出力する。
このことにより、使用者が右手のみでマイクロメータ１を使用している際に、デジタル表示器２を回転させ画像Ｆｇを見易い位置にデジタル表示器２の位置を変更（画像Ｆｇを正面側から視認できる範囲内でデジタル表示器２の位置を変更）した場合であっても、画像Ｆｇの上下が反転されることがない。
なお、使用者が左手のみでマイクロメータ１を使用している際でも同様である。
【００４１】
さらに、リーフスイッチ４１Ａは、右手用姿勢に設定されている場合に限って、回転位置認識部４１に信号を出力しないように構成されている。すなわち、リーフスイッチ４１Ａが故障した場合には、リーフスイッチ４１Ａから信号が出力されないため、回転位置認識部４１は、デジタル表示器２が右手用姿勢に設定されていると認識する。
ところで、右手のみでの使用は、左手のみでの使用よりも使用機会が多いことが想定される。このため、右手用姿勢に設定されている場合に限って、リーフスイッチ４１Ａから信号が出力されないように構成することで、リーフスイッチ４１Ａが故障した場合であっても、最低限必要とされる右手のみでの使用に応じた画像Ｆｇ１を画像表示部２３に表示させることができる。
【００４２】
さらに、本体１Ａの他端側に指掛部１Ｇが設けられているため、使用者は、指掛部１Ｇに小指を引っ掛けながら、本体１Ａに触れることなく、マイクロメータ１を保持することが可能となる。
したがって、測定時に、本体１Ａに手の熱が伝わることがなく、すなわち、本体１Ａの熱膨張を防止できる。このため、本体１Ａの熱膨張により測定値ＭＶの誤差を防止でき、被測定物を高精度に測定できる。
【００４３】
なお、本発明は、前記実施形態に限定されるものではなく、本発明の目的を達成できる範囲での変形、改良等は本発明に含まれるものである。
前記実施形態では、画像表示部２３として液晶表示デバイス２３Ａ及びバックライト２３Ｂを採用していたが、これに限らず、例えば、有機ＥＬ（エレクトロルミネッセンス）表示パネルや、電子ペーパー等で構成しても構わない。
【００４４】
前記実施形態では、位置検出部として静電容量シート２２を採用していたが、タッチ面２１Ａ上のタップされた位置を検出する方式としては、静電容量方式に限らず、その他の方式を採用しても構わない。
例えば、発光素子と受光素子を用いてタッチ面２１Ａ上にマトリクス状の光軸を形成し、その光軸の遮断の有無によりタッチ面２１Ａ上のタップされた位置を検出する赤外線方式を採用しても構わない。
また、例えば、透明導電性薄膜付きのシートを対向配置し、タッチ面２１Ａを触れることによりシートが接触した位置を検出する抵抗膜方式を採用しても構わない。
【００４５】
前記実施形態では、画像Ｆｇには、測定値ＭＶの他、２つの第１，第２操作オブジェクトＯＢ１，ＯＢ２が含まれていたが、これに限らない。例えば、第１，第２操作オブジェクトＯＢ１，ＯＢ２のいずれか一方のみを含む画像Ｆｇとしてもよく、あるいは、第１，第２操作オブジェクトＯＢ１，ＯＢ２以外の操作オブジェクトを含む画像Ｆｇとしても構わない。
【００４６】
前記実施形態では、回転位置認識部４１は、リーフスイッチ４１Ａからの信号の有無に応じて、デジタル表示器２の回転位置を認識していたが、これに限らない。
例えば、リーフスイッチ４１Ａの代わりに発光素子及び受光素子を採用し、デジタル表示器２の回転に応じて発光素子から受光素子に向う光が透過または遮断されるように構成する。そして、受光素子から出力される信号に応じて、回転位置認識部４１がデジタル表示器２の回転位置を認識する構成としても構わない。
また、例えば、右手用姿勢であるか左手用姿勢であるかを使用者に設定させる操作オブジェクトを画像Ｆｇに含ませ、使用者による当該操作オブジェクトへの操作に応じて、回転位置認識部４１がデジタル表示器２の回転位置を認識する構成としても構わない。
前記実施形態では、指掛部１Ｇは、略Ｕ字形を有するように形成されていたが、これに限らず、スピンドル１Ｃの軸方向に張り出し、小指が引っ掛かる形状であれば、何れの形状でも構わない。
【産業上の利用可能性】
【００４７】
本発明は、デジタル表示型のマイクロメータに利用できる。
【符号の説明】
【００４８】
１・・・マイクロメータ
１Ａ・・・本体
１Ｂ・・・固定スリーブ
１Ｃ・・・スピンドル
１Ｅ・・・アンビル
１Ｇ・・・指掛部
２・・・デジタル表示器（表示装置）
３・・・エンコーダ（変位量検出装置）
４・・・制御装置
２１・・・サーフェイス部材
２２・・・静電容量シート（位置検出部）
２３・・・画像表示部
２４・・・支持部材
４１・・・回転位置認識部
４２・・・表示制御部
【図１】
2013088287.tif 000003
【図２】
2013088287.tif 000004
【図３】
2013088287.tif 000005
【図４】
2013088287.tif 000006
【図５】
2013088287.tif 000007
【図６】
2013088287.tif 000008
【図７】
2013088287.tif 000009
【図８】
2013088287.tif 000010